(57)【要約】【課題】電子メール文章において一続きで表示されることを意図した文字列が分断されて表示されることを防ぐ携帯情報端末を提供する。【解決手段】記憶部１０５には、ＣＤＭＡ通信部１０１で受信した電子メールの文章が記憶されるようになっているとともに、電子メールの文章内で用いられる顔文字と絵文字とを対応付けたリスト２００が記憶されている。電子メール表示制御部１０９の判断部１０９ａは、文章中のＮ文字目から始まる文字列がリスト２００内の顔文字のいずれかと一致するか否かを判断し、一致した場合、表示制御部１０９ｂはリスト２００を参照し、当該顔文字に代えて対応付する絵文字を表示する。【選択図】図１
2007164524.tif 000002
【特許請求の範囲】
【請求項１】
電子メールを受信するための受信手段と、
受信した電子メールの文章を、複数行に分けて表示するための表示手段と、
１文字分のサイズに相当する画像を、複数の文字から成る文字列と対応付けて記憶する記憶手段と、
受信した電子メールについて、当該電子メールの文章に前記文字列が含まれているか否かを判断する判断手段と、
前記文字列が含まれていると判断された場合に、含まれていた当該文字列を対応する前記画像に変換して表示するよう表示制御を行う表示制御手段とを備える
ことを特徴とする携帯情報端末。
【請求項２】
前記判断手段はさらに、前記電子メールの文章が表示されたときに前記文字列が２行以上に亘って表示されるか否かを判断し、
前記表示制御手段は、前記文字列が２行以上に亘って表示されると判断された場合にのみ、前記文字列を対応する前記画像に変換して表示するよう表示制御を行う
ことを特徴とする請求項１記載の携帯情報端末。
【請求項３】
前記文字列は、喜怒哀楽等の感情を表現した顔文字であり、前記画像は、前記顔文字と同じ感情を表現した絵文字である
ことを特徴とする請求項１記載の携帯情報端末。
【請求項４】
前記記憶手段は、さらに、前記文字列に含まれる所定の文字要素と前記画像とを対応付けて記憶し、
前記判断手段は、さらに、括弧記号で閉じられた記号群を含み、かつ全体として左右対称な文字列を抽出し、当該記号群に前記文字要素が含まれているか否かを判断し、
前記表示制御手段は、前記文字要素が含まれていると判断された場合に、当該抽出された文字列を対応する画像に変換して表示するよう表示制御する
ことを特徴とする請求項１記載の携帯情報端末。
【請求項５】
電子メールの文章を複数行に分けて表示する表示手段を有する携帯情報端末に対し、前記表示手段への表示処理を実行させるためのプログラムであって、当該表示処理は、
１文字分のサイズに相当する画像を、複数の文字から成る文字列と対応付けて記憶する記憶ステップと、
電子メールを受信する受信ステップと、
受信した電子メールについて、当該電子メールの文章に前記文字列が含まれているか否かを判断する判断ステップと、
前記文字列が含まれていると判断された場合に、含まれていた前記文字列を対応する前記画像に変換して表示するよう表示制御を行う表示制御ステップとを含む
ことを特徴とするプログラム。
【発明の詳細な説明】
【技術分野】
【０００１】
本発明は、電子メールの受信機能を有する携帯情報端末に関し、特に、電子メールの文章を表示する際の制御技術に関する。
【背景技術】
【０００２】
現在、携帯電話機に代表される携帯情報端末は、コミュニケーションツールとして定着しており、電子メールの送受信を行えるものが一般化している（例えば、特許文献１を参照）。
電子メールによるコミュニケーションは、ユーザが自分の気持ちや思いを文字に綴って相手に送ることができる手軽な手段である。特に近年では、いわゆる「顔文字」と呼ばれる喜怒哀楽を示す文字列を文章内に織り交ぜる等の工夫によって、電子メール上の感情表現が進化している。
【特許文献１】特開２００５−２４４３７５号公報
【発明の開示】
【発明が解決しようとする課題】
【０００３】
ところが、携帯情報端末において、上述したような顔文字を含む電子メールの文章を自端末の表示部に表示したときに、顔文字が複数行に亘って表示されることがある。
すなわち、表示部においては通常、文字のサイズに応じて１行当たりの表示文字数が決まっている。このため、顔文字を表示する際、文章の文字数によって、顔文字を構成する文字列の途中で改行されるという事態が発生することがある。例えば、「（」、「＾」、「０」、「＾」、「）」の５文字から構成される笑顔を表現した顔文字「（＾０＾）」を表示する場合に、３文字目で改行され、「（＾」と「０＾）」とが別々の行に表示されてしまうことがある。
【０００４】
このような事態が発生すると、本来、５文字の文字列が一続きで顔文字と認識される「（＾０＾）」が、読み手の携帯情報端末に表示されたときに崩れてしまう。こうなると、送信者の元々の「感情を伝えたい」という意図が読み手に伝わらなくなる恐れがあるのみならず、読み手にとっても、分断されて個々に意味を持たない文字列は読みづらいという問題がある。
【０００５】
そこで、本発明は、電子メール文章において一続きで表示されることを意図した文字列が分断されて表示されることを防ぐ携帯情報端末を提供することを目的とする。
【課題を解決するための手段】
【０００６】
上記課題を解決するために、本発明の携帯情報端末は、電子メールを受信するための受信手段と、受信した電子メールの文章を、複数行に分けて表示するための表示手段と、１文字分のサイズに相当する画像を、複数の文字から成る文字列と対応付けて記憶する記憶手段と、受信した電子メールについて、当該電子メールの文章に前記文字列が含まれているか否かを判断する判断手段と、前記文字列が含まれていると判断された場合に、含まれていた当該文字列を対応する前記画像に変換して表示するよう表示制御を行う表示制御手段とを備えることを特徴とする。
【０００７】
ここで、１文字分のサイズとは、例えば、ある時点で各１文字をｍ×ｎドットで表示しているときにおいては、このｍ×ｎドットである。また、半角と全角の２つの文字サイズが混在するようなときは、半角と全角のどちらか一方の１文字分のサイズを指す。
【発明の効果】
【０００８】
以上の構成により、電子メール文章を表示する際に、文字列と対応する１文字分のサイズに相当する画像が代わりに表示されるので、一続きで表示されることを意図した文字列が改行され、複数行に亘って分断されて表示されてしまうことを防ぐことができる。
特に、ある感情を伝えるための文字列と、同じ感情を表現した画像とを対応付けて事前に記憶しておくことで、読み手が文字列の代わりに画像を見たときに、本来の文字列で表現される感情をそのまま伝えることができる。
【０００９】
また、上記携帯情報端末において、前記判断手段はさらに、前記電子メールの文章が表示されたときに前記文字列が２行以上に亘って表示されるか否かを判断し、前記表示制御手段は、前記文字列が２行以上に亘って表示されると判断された場合にのみ、前記文字列を対応する前記画像に変換して表示するよう表示制御を行うことを特徴とする。
この構成により、２行以上に亘って分断されて表示される文字列がある場合は対応する画像が代わりに表示されるので、一続きで表示されることを意図した文字列が複数行に亘って分断されて表示されることを防ぐことができる。
【００１０】
また、同時に、文字列であっても複数行に分断されることなく一続きで表示されるのであれば、文字列がそのまま表示されるため、本来の送信者が意図したままの形で読み手に伝えることができる。
また、上記携帯情報端末において、前記文字列は、喜怒哀楽等の感情を表現した顔文字であり、前記画像は、前記顔文字と同じ感情を表現した絵文字であることを特徴とする。
【００１１】
この構成により、顔文字に代わって絵文字が表示されても、送信者が顔文字で表現していた喜怒哀楽を読み手に伝えることができる。
また、上記携帯情報端末において、前記記憶手段は、さらに、前記文字列に含まれる所定の文字要素と前記画像とを対応付けて記憶し、前記判断手段は、さらに、括弧記号で閉じられた記号群を含み、かつ全体として左右対称な文字列を抽出し、当該記号群に前記文字要素が含まれているか否かを判断し、前記表示制御手段は、前記文字要素が含まれていると判断された場合に、当該抽出された文字列を対応する画像に変換して表示するよう表示制御することを特徴とする。
【００１２】
この構成により、文字列の特徴を掴むことで記憶手段に記憶されていない様々な文字列を抽出し、画像に変換することができる。
【発明を実施するための最良の形態】
【００１３】
以下本発明の実施形態について、図面を参照しながら説明する。
＜実施形態１＞
（１．構成）
まず、実施形態１に係る携帯情報端末の構成について、図１を参照しながら説明する。本実施例では、携帯情報端末の一形態として、携帯電話機１００を例に挙げて説明する。
【００１４】
図１に示すように、携帯電話機１００は、ＣＤＭＡ通信部１０１、ＣＤＭＡ通信アンテナ１０２、表示部１０３、操作部１０４、記憶部１０５、スピーカ１０６、マイクロフォン１０７、及び制御部１０８を備えている。
ＣＤＭＡ通信部１０１は、外部の基地局（図示しない）とＣＤＭＡ方式で無線通信を行うための処理を行う機能を有し、例えば、電子メールの送受信処理を行う。
【００１５】
ＣＤＭＡ通信アンテナ１０２は、ＣＤＭＡ方式で無線通信を行うための搬送波を捕捉する機能を有する。
表示部１０３は、ＬＣＤ（Liquid Crystal Display）等の表示装置であり、ＣＤＭＡ通信部１０１で受信した電子メールの文章を表示する機能を有する。表示部１０３は、複数行に亘って文章を表示するものであり、１行当たりに表示可能な全角の文字数Ｘが文字サイズに応じて決まっている（Ｘは整数）。
【００１６】
操作部１０４は、英数字等が印字された押下可能なキー群から成る入力装置であり、ユーザが入力した操作を受付けて、入力信号を制御部１０８に送出する機能を有する。
記憶部１０５は、ＲＡＭ（Random Access Memory）等の記憶装置であり、顔文字と絵文字とを対応付けたリスト２００を記憶している。また、ＣＤＭＡ通信部１０１で受信した電子メールの文章を記憶するようになっている。なお、リスト２００の詳細については後述する。
【００１７】
スピーカ１０６は、放音する機能を有する。
マイクロフォン１０７は、集音する機能を有する。
制御部１０８は、携帯電話機１００に備わる上記各構成部１０１〜１０７と接続され、各構成部を制御する機能を有する。
特に、制御部１０８は、その内部に電子メール表示制御部１０９を有する。なお、電子メール表示制御部１０９は制御部１０８が実行する機能としてコンピュータプログラムにより表現されているものである。電子メール制御部１０９は、ＣＤＭＡ通信部１０１で受信した電子メールの文章を表示部１０３に表示する際の表示制御を行うものであり、さらに、判断部１０９ａ及び表示制御部１０９ｂを有する。
【００１８】
判断部１０９ａは、記憶部１０５に記憶されているリスト２００内の顔文字が、電子メールの文章中に含まれるか否かを判断する。
表示制御部１０９ｂは、判断部１０９ａの判断の結果、電子メールの文章中に顔文字が含まれている場合は、リスト２００を参照して対応する絵文字に変換して表示部１０３に出力する。
（２．データ）
ここで、記憶部１０５に記憶されているリスト２００について、図２〜３を参照しながら説明する。
【００１９】
図２に示すように、リスト２００には複数の顔文字それぞれが所定の絵文字に対応付けられている。
より詳細には、表示部１９３に表示される文字、記号及び絵文字には、それぞれ固有のコードが割り当てられており、顔文字を構成する文字列に相当する文字コード群と絵文字のコードとが対応付けられている。図中では、便宜上、各コードに割り当てられた文字と絵文字を使って説明している。
【００２０】
ここで、顔文字とは、記号などの文字を複数並べた文字列であり、一続きで見ることで喜怒哀楽等の感情を表現した人の顔や体と認識できる文字列である。
また、ここで、絵文字とは、顔文字と同じく喜怒哀楽等の感情を表現した画像であり、表示部１０３に表示したときに全角１文字分のサイズに相当するｍ×ｎドットのビットマップ画像である。
【００２１】
図３を参照すると、例えば、リスト２００内の顔文字２０１「（＾０＾）」は、半角の「（」と「）」と「＾」、及び全角の「０」から構成されている。全角は半角２つ分に相当するため、顔文字２０１は全体で全角３文字（半角６文字）となる。
一方、顔文字２０１と対応付けられている絵文字２０２は、全角１文字（半角２文字）分のサイズである。
【００２２】
なお、表示部１０３に表示される文字のサイズは、ユーザが操作部１０４を介して行う設定に応じて、数種類の文字サイズの中から決定することが可能である。この場合、表示部１０３の表示領域は決まっているため、文字サイズとＸは反比例の関係にある。すなわち、文字サイズに応じてＸが変わるため、文字サイズ毎にＸを定める。
また、このように文字サイズが可変であるとき、文字サイズに応じて１文字分のサイズ（ｍ×ｎドット）が変動するため、リスト２００内の絵文字について各文字サイズに応じて異なるサイズの絵文字が表示するようにする。
【００２３】
具体的には、記憶部１０５において、各絵文字について、文字サイズに応じて異なるサイズを有するビットマップ形式の画像データを複数記憶しておく。
同様に、絵文字以外の英数字や漢字や記号等の通常の文字についても、文字サイズに応じて異なるサイズを有するビットマップ形式の画像データを複数記憶しておく。
（３．動作）
次に、携帯電話機１００における電子メール表示制御部１０９が行う処理動作について、図４〜５を参照しながら説明する。
【００２４】
制御部１０８は、ＣＤＭＡ通信部１０１で受信して記憶部１０５に記憶した電子メールの文章を表示部１０３に表示する際に、電子メール表示制御部１０９による表示制御を行う。
図４に示すように、まず、判断部１０９ａは、変数Ｎに１を代入し（ステップＳ１００）、文章のＮ文字目が文章の最終文字ではないか判断する（ステップＳ１０１）。Ｎ文字目が最終文字であればそのまま終了する（ステップＳ１０１：ＹＥＳ）。
【００２５】
Ｎ文字目が最終文字でなければ（ステップＳ１０１：ＮＯ）、判断部１０９ａはリスト２００を参照し、Ｎ文字目の文字から始まる文字列がリスト２００内の顔文字のいずれかと一致するか否かを判断する（ステップＳ１０２）。
判断の結果、顔文字のいずれかと一致する文字列があった場合（ステップＳ１０２：ＹＥＳ）、表示制御部１０９ｂは、当該顔文字の代わりに、リスト２００内の対応付けられた絵文字を表示（ステップＳ１０３）し、当該顔文字の文字数分Ｎに加算する（ステップＳ１０４）。この加算によって、Ｎ文字目の文字は、顔文字の次の文字を示す。
【００２６】
その後、Ｎ文字目改行が必要か否かを判断する（ステップＳ１０５）。
具体的には、Ｎ文字目の文字が全角であれば、「Ｎ＝Ｘｎ＋１」を満足するか否かを判断し、満足するのであればＮ文字目から新たな行に移ることになるので、Ｎ文字目の前に改行が必要なことがわかる。また、Ｎ文字目の文字が半角であれば、半角は全角の２倍の文字数を１行あたりに表示できることから、「Ｎ＝２Ｘｎ＋１」を満足するか否かを判断すればいよい。
【００２７】
そして、改行が必要であれば（ステップＳ１０５：ＹＥＳ）、Ｎ文字目の文字の前に改行を挿入する改行制御を行う（ステップＳ１０６）。その後、ステップＳ１０１に戻る。
一方、ステップＳ１０２の判断の結果、顔文字のいずれかと一致する文字列がなかった場合（ステップＳ１０２：ＮＯ）、そのままＮ文字目の文字を表示し（ステップＳ１０７）、Ｎをインクリメントして（ステップＳ１０８）、ステップＳ１０５に移る。このインクリメントによって、Ｎ文字目の文字は、ステップＳ１０７で表示した文字の次の文字を示す。
【００２８】
以上のステップＳ１００〜Ｓ１０８までの処理は、まず、文章の１文字目（変数Ｎ＝１）から始まる文字列とリスト２００内の顔文字との比較から開始する。
文章の１文字目から始まる顔文字がなければ、変数Ｎをインクリメントすることで（ステップＳ１０８）、２文字目から始まる顔文字がないかを判断する。同様に、文章中から顔文字が抽出されるまで３文字目、４文字目…と文章中の文字を逐次調べていく。
【００２９】
文章中に顔文字が抽出されると（ステップＳ１０２：ＹＥＳ）、当該顔文字に代えて対応する絵文字を表示し、Ｎに顔文字の文字数分を加算することで（ステップＳ１０４）、当該顔文字以降にさらに顔文字が含まれるか否かを判断していく。
以上、ステップＳ１００〜Ｓ１０８の処理を実行することで、電子メールの文章中に顔文字が含まれている場合に、対応する絵文字に変換して表示することができる。
【００３０】
この処理によれば、例えば、２つの顔文字を含みそのまま表示すると図５（ａ）のように表示される文章において、文章中の顔文字「Ｏ(≧∇≦)Ｏ」及び「o(；△；)o」がそれぞれ対応する絵文字に変換され、図５（ｂ）に示す態様で表示部１０３に表示される。
このように、本実施形態によれば、電子メールの文章を表示部１０３に表示したときに、文章中に含まれる顔文字が途中で分断されて表示されることを防ぐことができる。
＜実施形態２＞
次に、実施形態２について説明する。
【００３１】
実施形態２は実施形態１と比較して、電子メール表示制御部１０９が行う表示制御が異なる。すなわち、実施形態２では、電子メール文章中に、そのまま表示すると改行されて分断されてしまう顔文字が含まれる場合にのみ、その顔文字を対応する絵文字に変換する。
以下、本実施形態の動作について、図６を参照しながら説明する。
【００３２】
図６に示すように、まず、判断部１０９ａは、変数Ｎに１を代入し（ステップＳ２００）、文章のＮ文字目が文章の最終文字ではないか判断する（ステップＳ２０１）。Ｎ文字目が最終文字であればそのまま終了する（ステップＳ２０１：ＹＥＳ）。
Ｎ文字目が最終文字でなければ（ステップＳ２０１：ＮＯ）、判断部１０９ａはリスト２００を参照し、Ｎ文字目の文字から始まる文字列がリスト２００内の顔文字のいずれかと一致するか否かを判断する（ステップＳ２０２）。
【００３３】
判断の結果、顔文字のいずれかと一致する文字列があった場合（ステップＳ２０２：ＹＥＳ）、続いて、当該顔文字中に改行が含まれるか否かを判断する（ステップＳ２０３）。
具体的には、顔文字を構成する文字の中に、Ｘｎ文字目の文字と（Ｘｎ＋１）文字目の文字とが含まれているか否かを判断すればよい。この判断により、ある行の最後の文字と次の行の最初の文字を含んで顔文字が表示されるか否かが分かるため、当該顔文字をそのまま表示すると改行されて分断されてしまうかが分かる。
【００３４】
ステップＳ２０３の判断の結果、顔文字中に改行が含まれている場合、表示制御部１０９ｂは、当該顔文字の代わりに、リスト２００内の対応付けられた絵文字を表示し（ステップＳ２０４）、当該顔文字の文字数分Ｎに加算する（ステップＳ２０５）。この加算によって、Ｎ文字目の文字は、顔文字の次の文字を示す。
また、ステップＳ２０３の判断の結果、顔文字中に改行が含まれない場合、表示制御部１０９ｂは、当該顔文字をそのまま表示する（ステップＳ２０６）。
【００３５】
その後、Ｎ文字目改行が必要か否かを判断する（ステップＳ２０７）し、必要な場合は（ステップＳ２０７：ＹＥＳ）、Ｎ文字目の文字の前に改行を挿入する改行制御を行う（ステップＳ２０８）。その後、ステップＳ２０１に戻る。
一方、ステップＳ２０２の判断の結果、顔文字のいずれかと一致する文字列がなかった場合（ステップＳ２０２：ＮＯ）、そのままＮ文字目の文字を表示し（ステップＳ２０９）、Ｎをインクリメントして（ステップＳ２１０）、ステップＳ２０７に移る。このインクリメントによって、Ｎ文字目の文字は、ステップＳ２０９で表示した文字の次の文字を示す。
【００３６】
以上のステップＳ２００〜Ｓ２１０までの処理においては、文章中に顔文字が抽出されても（ステップＳ２０２：ＹＥＳ）、当該顔文字中に改行が含まれない場合はそのまま表示され（ステップＳ２０６）、当該顔文字が２行以上に亘って分断される場合にのみ絵文字を表示する（ステップＳ２０７）。
以上、ステップＳ２００〜Ｓ２１０の処理を実行することで、電子メールの文章中に、２行以上に亘って分断される顔文字が含まれている場合に、対応する絵文字に変換して表示することができる。
【００３７】
この処理によれば、例えば、２つの顔文字を含みそのまま表示すると図７-（ａ）のように表示される文章において、文章中に２つの顔文字「Ｏ(≧∇≦)Ｏ」及び「o(；△；)o」が含まれるが、２行以上に亘って分断されて表示される「Ｏ(≧∇≦)Ｏ」が対応する絵文字に変換され、図７（ｂ）に示す態様で表示部１０３に表示される。
このように、本実施形態によれば、電子メールの文章を表示部１０３に表示したときに、１行に収まる顔文字はそのまま表示される。これにより、顔文字として問題なく認識できるものはそのまま表示することで、送信者の本来の意図をなるべく崩すことなく電子メールの文章を表示することができる。
＜変形例＞
実施形態１及び２においては、電子メール表示制御部１０９の判断部１０９ａは、文章中のＮ文字目から始まる文字列と顔文字とを逐次照合していく方法を用いたが、この他、種々の方法を用いることができる。
【００３８】
例えば、一例として、記憶部１０５のリスト２００に、顔文字を構成する文字要素と絵文字とを対応付けて記憶しておく。
例えば、顔文字２０１「（＾０＾）」の中で人が笑ったときの目を表現した「＾」と絵文字２０２とを対応付けておく。
そして、判断部１０９ａにおいて、電子メールの文章中に、括弧記号「（」及び「）」で閉じられ、かつ、括弧内に顔文字の文字要素を含み、「（」から「）」までを全体で観察したときに左右対称となっている文字列を抽出し、抽出した文字列に代えて文字要素と対応付けられた絵文字を表示するようにすればよい。
【００３９】
この方法によれば、「（＾０＾）」だけでなく、「（＾▽＾）」や「＼(＊ ＾ｏ＾＊ )／」といった、文字要素「＾」により笑顔を表現した様々な顔文字を絵文字２０２に変えて表示することができる。
これにより、顔文字の特徴を利用してリスト２００内にない顔文字についても抽出することができる。
＜補足＞
以上、本発明に係る携帯情報端末を、実施形態１及び２に基づいて説明してきたが、この２つの実施形態の構成又は動作に様々な変形を加えることが可能である。
（１）実施形態１及び２において、絵文字は全角１文字分に相当するサイズである例を挙げて説明したが、これに限定されることはなく、半角１文字分に相当するサイズであってもよい。
（２）実施形態１及び２において、全角の文字数を基準として表示部１０３の１行当たりに表示可能な文字数をＸとおいて説明したが、これに限定されるものではなく、表示部１０３の１行あたりに表示可能な半角の文字数を基準にしてもよい。
（３）実施形態１及び２において、表示部１０３の１行当たりに表示可能な文字数Ｘを基準として、このＸを超えると改行する例を挙げて説明したが、これに限定されるものではない。
【００４０】
すなわち、上記の文字数による基準の以外に、例えば、英単語の区切りや句読点の規則処理等に基づいて改行することがあるとしてもよい。
（４）実施形態１及び２において、受信した電子メールの文章を表示部１０３に表示する際に自動的に顔文字が絵文字に変換される例を挙げて説明したが、これに限定されるものではない。
【００４１】
例えば、制御部１０８は、電子メールの文章をいったん表示部１０３にそのまま表示するよう制御し、その後、ユーザから所定の操作入力を操作部１０４で受付けた場合に、顔文字を絵文字に変換する処理を行うように制御してもよい。
このように制御することで、まずは顔文字が分断されようがされまいがそのまま文章を表示しておき、ユーザが顔文字の読みにくさを感じて絵文字への変換を望んだときだけ当該変換を行うことができ、よりユーザフレンドリーな表示制御となる。
（５）実施形態１及び２において、文字サイズに応じて異なるサイズの絵文字を表示するために、異なるサイズを有するビットマップ形式の画像データを記憶部１０５に複数記憶しておく例を挙げて説明したが、これに限定されるものではない。
【００４２】
すなわち、各絵文字について基準となるベクタ形式の画像データを１つずつ記憶しておき、文字サイズに応じてベクトルのパラメータを変更してサイズを可変にするようにしてもよい。
このとき、同様に、絵文字以外の英数字や漢字や記号等の通常の文字についても、各文字について基準となるベクタ形式の画像データを１つずつ記憶しておき、文字サイズに応じてベクトルのパラメータを変更してサイズを可変にするようにしてもよい。
（６）実施形態１及び２において、図５及び図７に示すように、表示部１０３に電子メールの文章を横書き形式で表示する例を挙げて説明したが、これに限定されるものではなく、縦書き形式で表示するようにしてもよい。
（７）実施形態１及び２において、携帯電話機を例に挙げて説明したが、これに限定されることなく、例えば、ＰＤＡ（Personal Digital Assistant）等の携帯情報端末であってもよい。
（８）実施形態１及び２において、図４のフローチャートで示した処理（ステップＳ１００〜Ｓ１０８）及び図６のフローチャートで示した処理（ステップＳ２００〜Ｓ２１０）をコンピュータプログラムで記述し、制御部１０８が実行可能なように記憶部１０５に記憶すればよい。
【００４３】
また、この他、上記コンピュータプログラムを携帯電話機１００が読み取り可能な記録媒体、例えば、フレキシブルディスク、ハードディスク、ＣＤ―ＲＯＭ（Compact Disk - Read Only Memory）、ＭＯ（Magneto Optical disk）、ＤＶＤ（Digital Versatile Disk）、ＤＶＤ−ＲＯＭ、ＤＶＤ−ＲＡＭ、ＢＤ（Blu-ray Disk）、半導体メモリなど、に記録して提供してもよい。
【００４４】
また、さらに、上記コンピュータプログラムを、電気通信回線、無線又は有線通信回線、インターネットを代表とするネットワーク等を経由して携帯電話機１００に伝送するものとしてもよい。
【産業上の利用可能性】
【００４５】
本発明に係る携帯情報端末、及びプログラムは、電子メールの受信が可能な携帯情報端末に適用可能であり、特に、受信した電子メールの文章を読みやすく表示することができる有用な技術である。
【図面の簡単な説明】
【００４６】
【図１】本発明に係る携帯情報端末の一例である携帯電話機１００の構成を示すブロック図である。
【図２】記憶部１０５に記憶されているリスト２００を示す概略図である。
【図３】リスト２００内の顔文字と絵文字とを対比して示す概略図である。
【図４】実施形態１における、携帯電話機１００の動作を示すフローチャートである。
【図５】実施形態１における、表示部１０３での表示例を示す概略図である。
【図６】実施形態２における、携帯電話機１００の動作を示すフローチャートである。
【図７】実施形態２における、表示部１０３での表示例を示す概略図である。
【符号の説明】
【００４７】
１００        携帯電話機
１０１        ＣＤＭＡ通信部
１０２        ＣＤＭＡ通信アンテナ
１０３        表示部
１０４        操作部
１０５        記憶部
１０６        スピーカ
１０７        マイクロフォン
１０８        制御部
１０９        電子メール表示制御部
１０９ａ      判断部
１０９ｂ      表示制御部
【図１】
2007164524.tif 000003
【図２】
2007164524.tif 000004
【図３】
2007164524.tif 000005
【図４】
2007164524.tif 000006
【図５】
2007164524.tif 000007
【図６】
2007164524.tif 000008
【図７】
2007164524.tif 000009